(57)【要約】【課題】手間を要することなく簡便に間隔調整が行え、低コスト化の図れたコンテナハウスの連棟構造を提供する。【解決手段】コンテナハウスＡ，Ｂを連棟する場合、本例では、コンテナハウスＡ，Ｂの縦枠体１０，１１のそれぞれの下部に取り付けられた取付金具１２，１３を連結し、両取付金具１２，１３の間隔Ｃを調整するに際し、縦板１２ｂの通孔及び縦板１３ａの通孔に、ワッシャ６を縦板１２ｂとボルト４の頭部で挟持する態様にして当該ボルト４を挿通し、このボルト４のネジ部にワッシャ７を挿入するとともに、当該ワッシャ７を縦板１３ａとナット５で挟持する態様にして当該ナット５を螺合させてから、間隔Ｃの幅長に合わせて選定されたスペーサ１を当該間隔Ｃのボルト４に引掛け、上記ナット５で締付ける。このときの締付け具合に応じて、適宜なスペーサ１を加えたり減らしたりする場合、ナット５を弛めてボルト４に着脱するだけでよい。【選択図】  図３
2004257115.tif 000002
【特許請求の範囲】
【請求項１】
二つのコンテナハウスを連棟する際に、一方のコンテナハウス側から他方のコンテナハウス側に挿通させるボルトと、前記他方のコンテナハウス側に配設され前記ボルトに螺合するナットと、両コンテナハウスの間隔を調整するために配設される着脱容易なスペーサとを備えたことを特徴とするコンテナハウスの連棟構造。
【請求項２】
前記スペーサは、前記ボルトが挿通する通孔と、該通孔に連通して当該通孔に前記ボルトを挿入可能にする切欠き部とを有する薄板部材で構成され、前記通孔及び切欠き部は、当該スペーサを前記ボルトに引掛けたときに、このボルトから脱落することなく当該ボルトに垂下して保持する形状をなして当該部材の適宜位置に設けられることを特徴とする請求項１に記載のコンテナハウスの連棟構造。
【発明の詳細な説明】
【０００１】
【発明が属する技術分野】
本発明は、コンテナハウス同士を連棟させる場合の連棟構造に関する。
【０００２】
【従来の技術】
予め工場で内装や外装が仕上げられた複数のコンテナハウスは、運搬された現地で組立てることにより、即ち、連棟させることにより現地での据付けが容易な、例えば住宅ハウス等として供される。
このようなコンテナハウスの連棟構造としては、従来から、例えば図４に示すようなユニット間隔調整構造なるものがある。かかる構造は、２つのユニット１０１，１０２を連結する場合、これらの縦枠体１０３，１０４にこれらの互いに対向する位置に貫通孔１０３ａ，１０４ａを穿孔し、縦枠体１０３，１０４の対向面１０３ｂ，１０４ｂの間にスリーブ対１０５及び座金１０６，１０７を配置し、一方の貫通孔１０３ａからボルト１０８をスリーブ対１０５等を介して他方の貫通孔１０４ａに挿通しナット１０９を螺合させるものである。このような構造において、ナット１０９の締め付け具合を調節して縦枠体１０３，１０４の幅を含めた両者間の距離Ｗ１が所定の距離になるように設定するとともに、スリーブ対１０５のメススリーブとオススリーブとを相対的に回転させスリーブ対１０５の螺合長さを変えて全体の長さＷ２を調節し、メススリーブ及びオススリーブのそれぞれが、ボルト１０８の頭部及びナット１０９との間で縦枠体１０３，１０４を挟み込むように固定する（例えば、特許文献１参照）。
【０００３】
【特許文献１】
特開平９−３２４５４１号公報（第３頁、第３，４図）
【０００４】
【発明が解決しようとする課題】
しかしながら、上述した従来のユニット間隔調整構造は、連結するユニットが歪んだり、捻じれたりしているような場合に、これを修正して連結できるので有効であるが、とりわけ、修正するほどに歪んだり、捻じれたりしていないものを間隔調整して連結する場合、メススリーブやオススリーブからなるスリーブ対を用いた構造のものでは手間を要し簡便ではなく、また、部品点数が多くなるなどのために低コスト化が図れないという問題がある。
【０００５】
本発明の目的は、手間を要することなく簡便に間隔調整が行え、低コスト化の図れたコンテナハウスの連棟構造を提供することにある。
【０００６】
【課題を解決するための手段】
上記課題を解決するために、本発明の請求項１に係るコンテナハウスの連棟構造は、二つのコンテナハウスを連棟する際に、一方のコンテナハウス側から他方のコンテナハウス側に挿通させるボルトと、他方のコンテナハウス側に配設され上記ボルトに螺合するナットと、両コンテナハウスの間隔を調整するために配設される着脱容易なスペーサとを備えた構造のものである。かかる構造においては、両コンテナハウス間の間隔に当該間隔の幅長に合わせて選定されたスペーサを着脱容易に配設し、ボルト及びナツトで固定するようにしたものであり、これにより、手間を要せず簡便に間隔調整が行え、しかも、部品点数が少なくて済むために低コスト化が図れる。
【０００７】
また、本発明の請求項２に係るコンテナハウスの連棟構造において、上記スペーサは、具体的には、ボルトが挿通する通孔と、この通孔に連通して当該通孔にボルトを挿入可能にする切欠き部とを有する薄板部材で構成され、これら通孔及び切欠き部を、当該スペーサをボルトに引掛けたときに、このボルトにから脱落することなく当該ボルトに垂下して保持する形状とし、かかる形状の通孔及び切欠き部を当該部材の適宜位置に設けるようにしたものである。これにより、スペーサを加減して上記間隔の調整を行う場合、ナットを弛めてボルトに着脱するだけでよいので、上記間隔の調整が極めて簡便に行える。
【０００８】
【発明の実施の形態】
本発明の実施の形態に係るコンテナハウスの連棟構造を図１〜３を参照して説明する。
本連棟構造を用いるコンテナハウスは、図１（Ａ）に示すような略直方体形状をなし、現地での据付けが容易な、例えば住宅ハウス等として供されるものであり、本実施の形態では、このような二つのコンテナハウスＡ，Ｂを、同図（Ｂ）に示すような態様で連棟させるに際して本連棟構造が用いられている。
本連棟構造においては、ボルト４やナット５、ワッシャ６，７等を用いているが（図３参照）、両コンテナハウスＡ，Ｂの間隔調整を簡便に行えるように、下記スペーサ１を用いている。
【０００９】
上記スペーサ１は、図２（Ａ）に示すように、略矩形形状の薄板部材で構成されるもので、この部材の中央から当該部材の長辺方向に沿って偏芯した位置（適宜位置）に、ボルト４が挿通する通孔２を設けるとともに、この通孔２にボルト４を挿入可能にする切欠き部３を設けている。そして、切欠き部３は、当該切欠き部３の中心線が上記通孔２の中心を通る水平線に対し、本実施の形態では１５゜ほど当該水平線に対し下向きに傾斜して形成されるとともに、当該切欠き部３の溝幅が、通孔２の孔径に等しくなるような態様で当該通孔２に連通している。したがって、このような形状の通孔２及び切欠き部３によれば、ボルト４に対する着脱が容易になることに加え、スペーサ１をボルト４に、例えば無造作に引掛けても、スペーサ１は、図２（Ｂ）に示すように、その自重によってボルト４廻りの回転（同図の矢印方向の回転）が抑えられ、このボルト４から脱落することなく当該ボルト４に垂下した状態で保持される。
【００１０】
次に、本連棟構造を用いてコンテナハウスを連棟する場合の作業手順を図３を参照して説明する。
本作業を始める前に、予め厚さの異なる、例えば厚さ１．６ｍｍ，２．３ｍｍ・・・などの上記スペーサ１を複数個ずつ用意しておく。
そして、コンテナハウスＡ，Ｂを連棟するために、本実施の形態では、コンテナハウスＡの縦枠体１０の下部に取り付けられた取付金具１２と，これと対峙する態様で設置される、コンテナハウスＢの縦枠体１１の下部に取り付けられた取付金具１３とを本連棟構造を用いて連結する。この連結に際して、両コンテナハウスＡ，Ｂの間隔、即ち、両取付金具１２，１３の間隔Ｃを調整する必要がある。
ところで、取付金具１２，１３は同一形状の金物で、例えば取付金具１２で説明すると、略Ｌ字状の薄い縦板１２ａ，１２ｂを所定間隔あけて配設するとともに、これら縦板１２ａ，１２ｂの上端面に架け渡す態様で配設された薄い上板及び縦板１２ａ，１２ｂの下端面に架け渡す態様で配設された薄い下板で構成され、これら縦板１２ａ，１２ｂには、ボルト４のネジ径よりいくらか大きい通孔（同図では、１２ａ１，１３ｂ１のみが現れている）が両縦板１２ａ，１２ｂを貫通する態様でそれぞれ設けられている。よって、この場合、上記間隔Ｃは、取付金具１２の縦板１２ｂと取付金具１３の縦板１３ａ間の隙間ということになる。
【００１１】
このような取付金具１２，１３に対し、図３に示すように、縦板１２ｂの通孔及び縦板１３ａの通孔に、ワッシャ６を縦板１２ｂとボルト４の頭部で挟持する態様にして当該ボルト４を挿通し、このボルト４のネジ部にワッシャ７を挿入するとともに、当該ワッシャ７を縦板１３ａとナット５で挟持する態様にして当該ナット５を螺着させる。そして、上記間隔Ｃの幅長に合わせて厚さの異なるものを含む適宜数のスペーサ１を選定し（同図では、一つのスペーサ１のみが描かれている）、これらを当該間隔Ｃのところのボルト４に引掛け、上記ナット５で締付ける。
このときの締付け具合に応じて、適宜なスペーサ１を加えたり減らしたりする必要があるが、本連棟構造では、スペーサ１を加減する場合、ナット５を弛めてボルト４に引掛けたりボルト４から取り外したりするだけでよいので、上記間隔Ｃの調整が極めて簡便に行える。
【００１２】
【発明の効果】
本発明のコンテナハウスの連棟構造によれば、予め板厚の異なる数種のスペーサを用意しておき、両コンテナハウス間の隙間に当該隙間のに応じてこれらスペーサの中から適宜なものを選定して配設し、ボルト及びナツトで固定するようにしたものであり、これにより、手間を要せず簡便で、しかも、部品点数が少なくて済むために低コスト化が図れる。
【図面の簡単な説明】
【図１】本発明の実施の形態に係る連棟構造が用いられるコンテナハウスの外観斜視図である。
【図２】図１の連棟構造に用いるスペーサの構成図である。
【図３】図１の連棟構造を説明するための拡大構成図である。
【図４】従来の連棟構造の構成図である。
【符号の説明】
Ａ，Ｂ                コンテナハウス
１                    スペーサ
２                    通孔
３                    切欠き部
４                    ボルト
５                    ナット
【図１】
2004257115.tif 000003
【図２】
2004257115.tif 000004
【図３】
2004257115.tif 000005
【図４】
2004257115.tif 000006